(57)【要約】【課題】クジ引きの緊張感やクジに当たったときの喜びを維持しつつ、抽選結果を簡単に知らせることができ、また、集客効果が期待できる抽選システムを提供する。【解決手段】抽選クジ１は、三角形状の基台紙２に、被情報読取部３を形成して構成される。被情報読取部３には、抽選結果に関する情報が二次元ドットコードのドットパターンとして記録される。クジ箱中から抽選クジ１のうちの任意の１つを取り出して、クジ引きを行う。スキャナ部で、被情報読取部３をスキャンさせ、判定部で抽選結果を判定させ、この抽選結果を報知部のスピーカから音声で出力させる。従来の三角クジと同様な感覚で、違和感なく、クジ引きを行える。クジを剥がして開封させる手間がなく、スキャナ部でスキャンさせるだけで、介助人がいなくても、抽選結果を音声で知らせることができる。【選択図】図１
0003154605.tif 000002
【実用新案登録請求の範囲】
【請求項１】
抽選結果に関する情報を二次元ドットコードのドットパターンとして記録した被情報読取部を有する複数の抽選クジと、
前記複数の抽選クジの中から任意に取り出された抽選クジの被情報読取部から前記二次元ドットコードのドットパターンを光学的に読み取り、該読み取られたドットパターンから識別コードを生成するスキャナ部と、
前記スキャナ部から送られてきた識別コードにより抽選結果を判定する判定部と、
前記抽選結果を報知する報知部と
を備えることを特徴とする抽選システム。
【請求項２】
前記判定部は、識別コードに対応して音声データが記録された音声ファイル記憶部を有し、前記スキャナ部から送られてきた識別コードに対応する音声データを前記音声ファイル記憶部から読み出し、
前記報知部は、前記読み出された音声データを抽選結果として音声で出力することを特徴とする請求項１に記載の抽選システム。
【請求項３】
前記判定部は、識別コードに対応して映像音声データが記録された映像音声ファイル記憶部を有し、前記スキャナ部から送られてきた識別コードに対応する映像音声データを前記映像音声ファイル記憶部から読み出し、
前記報知部は、前記読み出された映像音声データを抽選結果として映像と音声で出力することを特徴とする請求項１に記載の抽選システム。
【請求項４】
前記スキャナ部と前記判定部とをペン形の１つの筐体内に収納することを特徴とする請求項１から３の何れかに記載の抽選システム。
【請求項５】
基台紙と、前記基台紙に設けられた被情報読取部を有し、
前記被情報読取部には、抽選結果に関する情報を二次元ドットコードのドットパターンとして記録したことを特徴とする抽選クジ。
【請求項６】
さらに、前記基台紙には、各種の文字や絵を印字する印字部を設けることを特徴とする請求項５に記載の抽選クジ。
【請求項７】
前記基台紙は、三角形状とされたことを特徴とする請求項５又は６に記載の抽選クジ。
【考案の詳細な説明】
【技術分野】
【０００１】
本考案は、販売促進のための抽選会で使用して好適な抽選システム及びこのような抽選システムに用いられる抽選クジに関する。
【背景技術】
【０００２】
周知のように、地域の商店街や駅ビル、ショッピングモール等において、販売促進のために、所定の金額以上の商品を購入した客に抽選券を配布し、抽選会を開催することがよくある。このような抽選会では、三角クジや福引器が用いられている。三角クジは、例えば特許文献１に記載されているように、三角形状の紙が折り畳んで糊付けされ、その中に、「当たり」、「ハズレ」等の文字が記載されており、クジ箱の中から任意の三角クジを１つ取り出して、その場でクジを剥がして開封させ、抽選結果を確認するものである。福引器は、六角形や八角形の箱にハンドルが設けられており、その箱の中に複数の球体が入れられ、ハンドルを回すと多数の球体から１つの球体だけが無作為に取り出され、その玉の色により賞品が決まるようなものである。また、近年、パーソナルコンピュータ（以下、パソコンと略称する）やタッチパネルを使ったクジも登場している。
【０００３】
このような抽選会では、抽選会場で客がクジ引きを行い、クジに当たると、景品が獲得できる。このような抽選会では、クジ引きの機会の獲得のための商品購入を促すばかりでなく、抽選会自体が１つの客寄せの場となり、集客効果による販売促進が図られる。
【先行技術文献】
【特許文献】
【０００４】
【特許文献１】特開平１０−３２９４６６号公報
【考案の概要】
【考案が解決しようとする課題】
【０００５】
ところで、従来の三角クジや福引器においては、クジに当たったかどうかを確認するための介助人を要するという問題がある。
また、上述のように、抽選会自体が１つの客寄せの場となるが、従来においては、抽選会に鈴割り等を用意して、スタッフが会場を盛り上げなければならず、労力が掛かるという問題がある。
また、従来の三角クジにおいては、クジを剥がして開封させる手間がかかり、クジが再利用できないため、ゴミが増えるという問題がある。
【０００６】
一方、パソコンやタッチパネルを使ったクジの場合には、パソコンの音響効果によって客寄せ効果も期待できる。
しかしながら、パソコンやタッチパネルを使ったクジの場合には、ゲーム感覚となり、自分でクジを引く緊張感やクジに当たったときの喜びが味わいにくいという問題がある。
また、パソコンやタッチパネルを使ったクジは、パソコンに不慣れな人にとっては、抵抗感があるという問題がある。
【０００７】
上述の課題を鑑み、本考案は、クジ引きの緊張感やクジに当たったときの喜びを維持しつつ、抽選結果を簡単に知らせることができ、また、集客効果が期待できる抽選システム及びこのような抽選システムに用いられる抽選クジを提供することを目的とする。
【課題を解決するための手段】
【０００８】
本考案は、上記課題を解決するために以下の手段を採用する。
すなわち、本考案の第１の解決手段として、抽選結果に関する情報を二次元ドットコードのドットパターンとして記録した被情報読取部を有する複数の抽選クジと、上記複数の抽選クジの中から任意に取り出された抽選クジの被情報読取部から上記二次元ドットコードのドットパターンを光学的に読み取り、該読み取られたドットパターンから識別コードを生成するスキャナ部と、上記スキャナ部から送られてきた識別コードにより抽選結果を判定する判定部と、上記抽選結果を報知する報知部という手段を採用する。
【０００９】
また、本考案は、第２の解決手段として、上記考案において、上記判定部は、識別コードに対応して音声データが記録された音声ファイル記憶部を有し、上記スキャナ部から送られてきた識別コードに対応する音声データを上記音声ファイル記憶部から読み出し、上記報知部は、上記読み出された音声データを抽選結果として音声で出力する手段を採用する。
【００１０】
また、本考案は、第３の解決手段として、上記考案において、上記判定部は、識別コードに対応して映像音声データが記録された映像音声ファイル記憶部を有し、上記スキャナ部から送られてきた識別コードに対応する映像音声データを上記映像音声ファイル記憶部から読み出し、上記報知部は、上記読み出された映像音声データを抽選結果として映像と音声で出力する手段を採用する。
【００１１】
また、本考案は、第４の解決手段として、上記考案において、上記スキャナ部と上記判定部とをペン形の１つの筐体内に収納するという手段を採用する。
【００１２】
また、本考案は、第５の解決手段として、基台紙と、上記基台紙に設けられた被情報読取部を有し、上記被情報読取部には、抽選結果に関する情報を二次元ドットコードのドットパターンとして記録する手段を採用する。
【００１３】
また、本考案は、第６の解決手段として、上記考案において、さらに、上記基台紙には、各種の文字や絵を印字する印字部を設ける手段を採用する。
【００１４】
また、本考案は、第７の解決手段として、上記基台紙は、三角形状とすることを採用する。
【考案の効果】
【００１５】
本考案によれば、抽選クジとして、抽選結果に関する情報を二次元ドットコードのドットパターンとして記録した被情報読取部を有するものが用いられ、抽選クジのうちから任意のものを取り出して、被情報読取部をスキャナ部でスキャンさせると、判定部で抽選結果が判定されて、この抽選結果が報知される。
これにより、介助人がいなくても、抽選結果を簡単に知らせることができると共に、スタッフが抽選会場を盛り上げなくても、画像や音声を表示させて抽選会場を盛り上げることができる。
さらに、本考案によれば、クジ箱の中から抽選クジを引いて抽選を行うものであり、抽選クジの選択が従来の感覚と同様となるので、違和感を生じさせることない。これにより、クジ引きの緊張感やクジに当たったときの喜びを維持することができる。
また、本考案によれば、抽選結果が音声や映像で出力されるため、抽選結果を周囲の人々に意図的に知らせることができると共に、周囲の人々に臨場感を伝えることができ、集客効果を向上させることができる。
【図面の簡単な説明】
【００１６】
【図１】本考案の第１の実施形態における抽選クジの一例の平面図である。
【図２】本考案の第１の実施形態における抽選クジにおける被情報読取部の拡大図である。
【図３】本考案の第１の実施形態の抽選システムの構成の説明図である。
【図４】本考案の第１の実施形態の抽選システムにおけるスキャナ部、判定部、報知部の説明に用いるブロック図である。
【図５】本考案の第１の実施形態の抽選システムにおける音声ファイル記憶部の説明図である。
【図６】本考案の第２の実施形態の抽選システムにおける判定部、報知部の説明に用いるブロック図である。
【考案を実施するための形態】
【００１７】
以下、本考案の実施の形態について図面を参照しながら説明する。
＜第１の実施形態＞
図１は、本考案の第１の実施形態の抽選システムにおける抽選クジ１の平面図である。図１に示すように、抽選クジ１は、三角形状の基台紙２に、被情報読取部３を形成して構成される。
【００１８】
抽選クジ１の形状は任意であるが、ここでは、従来の三角クジと同様な三角形の形状としている。抽選クジ１の形状を三角形としておくと、クジ引きを行う者は、従来の三角クジと同様な感覚で、違和感を生じさせることなく、クジ引きを行うことができる。また、基台紙２には、各種の文字や絵を印字する印字部４を設けることができる。勿論、抽選クジ１の全面を被情報読取部３としても良い。
【００１９】
被情報読取部３には、「１等賞」、「２等賞」、「３等賞」、「ハズレ」のような、抽選結果に関する情報が二次元ドットコードのドットパターンとして印字されている。すなわち、被情報読取部３は、図２に示すように、細かい区画、例えば１．３ｍｍの四方の区画の領域からなっているものであり、互い違いに隣接するように升目状に配置されて設けられている。二次元ドットコードＣは、各区画された領域内に５×５個のドットがデータ単位となっている。全ての被情報読取部３に配置される二次元ドットコードＣは、５×５個のドットコードのパターンが全て同一のものになっている。ここで、領域ｃ１に配列されるドットが他の二次元ドットコードＣとの境界を示している。領域ｃ２のドットパターンにより、抽選結果に関する情報が識別できる。なお、二次元ドットコードＣは、微少なドットパターンによるものであるから、人間が視覚的に認識することは困難であり、印刷されていること自体が分かりにくいものである。
【００２０】
図３は、本考案の第１の実施形態の抽選システムの構成を示すものである。図３において、クジ箱１１は、直方体の箱体で、その上側に、開口１２を有している。クジ箱１１内には、複数の抽選クジ１が収納されている。クジ箱１１内に収納されている複数の抽選クジ１は、全て外形は同じであるが、その被情報読取部３に記録されている二次元ドットコードＣのドットパターンが異なっているものがある。この被情報読取部３の二次元ドットコードＣのドットパターンが「１等賞」、「２等賞」、「３等賞」、「ハズレ」等の抽選結果に関する情報に対応している。
【００２１】
抽選会場には、抽選クジ１が収納されたクジ箱１１の他、スキャナ部１５と、判定部１６と、報知部１７としてのスピーカ４１が用意される。スキャナ部１５は、先端１５ａから照射される赤外線を利用して、二次元ドットコードＣを光学的に読み取り、二次元ドットコードＣのドットパターンを解析して、識別コードを生成するものである。このスキャナ部１５は、抽選クジ１の被情報読取部３の二次元ドットコードＣを読み取り易いように、ペン形の形状とされている。
【００２２】
判定部１６は、スキャナ部１５からの識別コードに応じて、抽選結果を判定する。報知部１７は、この判定結果をスピーカ４１から音声で出力する。
【００２３】
クジ引きを行う者は、クジ箱１１の開口１２から手を入れて、その中に収納されている抽選クジ１のうちの任意のものを取り出して、クジ引きを行う。そして、スキャナ部１５により、抽選クジ１の被情報読取部３をスキャンさせる。これにより、スキャナ部１５で、被情報読取部３の二次元ドットコードのドットパターンが解析され、スキャナ部１５からは、この解析結果に基づいて識別コードが出力される。
【００２４】
ここで、前述したように、全ての被情報読取部３に配置される二次元ドットコードＣは、５×５個のドットコードの位置が全て同一のものになっている。このため、被情報読取部３のどこをスキャンさせても、同一の識別コードがデコードされ、操作に不慣れな人でも、確実に二次元ドットコードＣの情報を読み取れる。
【００２５】
スキャナ部１５からの識別コードは、判定部１６に送られる。判定部１６でこの識別コードが判定され、判定部１６からは、例えば、「１等賞、ハワイ旅行です」、「２等賞、温泉旅行です」、「３等賞、旅行セットです」、「残念、ハズレです」というように、抽選結果が音声信号が出力される。この音声信号が報知部１７のスピーカ４１から出力される。
【００２６】
図４は、スキャナ部１５、判定部１６、及び報知部１７の構成を示す機能ブロック図である。スキャナ部１５は、読取部２１と、Ｃ１パターン判定部２２と、識別コードデコード部２３とを有している。読取部２１は、抽選クジ１の被情報読取部３の二次元ドットコードＣを光学的に読み取る。Ｃ１パターン判定部２２は、二次元ドットコードＣの中の領域ｃ１のドットパターンにより、ドットの境界を判定する。識別コードデコード部２３は、Ｃ１パターン判定部２２の判定出力により領域を区切り、領域ｃ２のドットパターンから、識別コードをデコードする。
【００２７】
判定部１６は、データ読出制御部３１と、音声ファイル記憶部３２と、音声データ処理部３３とを有している。データ読出制御部３１は、識別コードに応じて、音声ファイル記憶部３２から、音声ファイルを読み出す制御を行う。音声ファイル記憶部３２には、識別コードに対応して、抽選結果を示す音声ファイルが格納されている。例えば、識別コード「０１」が１等賞、識別コード「０２」が２等賞、識別コード「０３」が３等賞、識別コード「０４」がハズレの抽選結果に対応している場合には、音声ファイル記憶部３２には、図５に示すように、識別コード「０１」〜「０４」にそれぞれ対応して、その抽選結果を示す音声ファイルが格納される。音声データ処理部３３は、音声ファイル記憶部３２から読み出された音声ファイルから、音声信号を生成する。報知部１７のスピーカ４１は、この音声信号を出力する。
【００２８】
図４において、スキャナ部１５により、抽選クジ１の被情報読取部３の二次元ドットコードＣが読み取られ、スキャナ部１５の識別コードデコード部２３から例えば識別コード「０１」が出力されたとする。この場合には、データ読出制御部３１の制御により、音声ファイル記憶部３２から識別コード「０１」に相当する音声ファイルが読み出される。図５に示すように、音声ファイル記憶部３２には、識別コード「０１」に対応する音声ファイルとして、「１等賞、ハワイ旅行です」の音声ファイルが格納されている。この１等賞に相当する音声ファイルが音声データ処理部３３に送られて音声信号が生成される。このため、報知部１７のスピーカ４１からは、「１等賞、ハワイ旅行です」の音声が出力される。
【００２９】
このように、本考案の第１の実施形態では、クジ引きを行う者は、クジ箱１１の開口１２から手を入れて、その中に収納されている抽選クジ１のうちの１つを取り出して、クジ引きを行う。そして、スキャナ部１５で、被情報読取部３をスキャンさせる。これにより、判定部１６で抽選結果が判定され、この抽選結果が報知部１７のスピーカ４１から音声で出力される。このように、本考案の第１の実施形態では、クジ箱１１の中から三角形状の抽選クジ１を引いて抽選を行うものであり、従来の三角クジと同様な感覚で、違和感なく、クジ引きを行うことができ、また、クジを引く緊張感やクジに当たったときの喜びを維持できる。そして、従来の三角クジとは異なり、クジを剥がして開封させる手間がなく、スキャナ部１５でスキャンさせるだけで、介助人がいなくても、抽選結果を音声で知らせることができる。また、本考案の第１の実施形態では、抽選クジ１を反復利用することができる。
【００３０】
また、本考案の第１の実施形態では、抽選結果が音声で出力される。このため、抽選結果を周囲の人々に意図的に知らせることができ、周囲の人々に臨場感を伝えることができ、集客効果が期待できる。また、音声に、効果的音や音楽を加えることで、より高度な演出ができる。また、ナレーションに工夫を凝らしたり、ナレータに著名人を採用したりすることで、付加価値を加えることができる。
【００３１】
＜第２の実施形態＞
図６は、本考案の第２の実施形態における判定部１１６、及び報知部１１７の構成を示すものである。なお、抽選クジ１の構成や、クジ箱１１の構成、スキャナ部１５の構成は、前述の第１の実施形態と同様であり、その説明は省略する。
【００３２】
上述の第１の実施形態では、抽選結果を音声で知らせるものである。この第２の実施形態では、さらに、抽選結果を映像と音声とで知らせることができるようにしている。
【００３３】
図６において、判定部１１６は、データ読出制御部１３１と、映像音声ファイル記憶部１３２と、映像音声データ処理部１３３とを有している。報知部１１７は、スピーカ１４１とモニタ１４２とを有している。
【００３４】
データ読出制御部１３１は、スキャナ部１５から入力された識別コードに応じて、映像音声ファイル記憶部１３２から、映像音声ファイルを読み出す制御を行う。映像音声ファイル記憶部１３２には、識別コードに対応して、抽選結果を示す映像音声ファイルが格納されている。映像音声データ処理部１３３は、映像音声ファイル記憶部１３２から読み出された映像音声ファイルから、映像信号及び音声信号を生成する。
【００３５】
報知部１１７のモニタ１４２は、映像音声データ処理部１３３で生成された映像信号に基づく画像を映出する。報知部１１７のスピーカ１４１は、映像音声データ処理部１３３で生成された音声信号を出力する。
【００３６】
この第２の実施形態では、抽選結果を映像と音声で知らせることができる。この場合、モニタ１４２として大型のディスプレイを抽選会場に設置すれば、抽選結果を映像と音声で周囲の人々に意図的に知らせることができ、より集客効果を期待することができる。
【００３７】
＜変形例、応用例＞
本考案は、上述した実施形態に限定されるものではなく、この考案の要旨を逸脱しない範囲内で様々な変形や応用が可能である。例えば、上述の実施形態では、スキャナ部１５と判定部１６、１１６とを別体としているが、スキャナ部１５と判定部１６，１１６とを１つの筐体内に収納することも可能である。スキャナ部１５と判定部１６，１１６とを例えばペン形の１つの筐体内に収納すれば、小さな会場でも手軽に抽選が行え、また、家庭用としての利用も可能である。
【００３８】
また、スキャナ部１５での識別コードのデコード処理や、判定部１６，１１６での判定処理は、パソコンを利用して、ソフトウェアで実現することができる。また、スキャナ部１５とパソコンとは、ＵＳＢ(Universal Serial Bus)等を使って有線で接続する他、無線で接続することもできる。
【符号の説明】
【００３９】
１  スキャナ部
２  基台紙
３  被情報読取部
４  印字部
１１  クジ箱
１２  開口
１５  スキャナ部
１６  判定部
１７  報知部
２１  読取部
２２  Ｃ１パターン判定部
２３  識別コードデコード部
３１  データ読出制御部
３２  音声ファイル記憶部
３３  音声データ処理部
４１  スピーカ
１１６  判定部
１１７  報知部
１３１  データ読出制御部
１３２  映像音声ファイル記憶部
１３３  映像音声データ処理部
１４１  スピーカ
１４２  モニタ
【図１】
0003154605.tif 000003
【図２】
0003154605.tif 000004
【図３】
0003154605.tif 000005
【図４】
0003154605.tif 000006
【図５】
0003154605.tif 000007
【図６】
0003154605.tif 000008